(57)【特許請求の範囲】
【請求項１】
送信元ユーザによってなされた送信対象データの宛先であるユーザの指定を受け付ける受付手段と、
外部に設けられ又は内蔵された予定表記憶手段に記憶されたユーザの予定表の中から、前記受付手段により指定が受け付けられた宛先ユーザの予定表を閲覧する閲覧手段と、
外部に設けられ又は内蔵された閲覧権限情報記憶手段に記憶されたユーザ情報に基づいて、前記予定表記憶手段に記憶されている前記宛先ユーザの予定表に対する送信元ユーザの閲覧権限の有無を確認する確認手段と、
前記確認手段により、宛先ユーザの予定表に対する送信元ユーザの閲覧権限のあることが確認された場合に、前記送信対象データの文書内容の種類を検出する検出手段と、
検出手段により検出された送信対象データの文書内容の種類に応じて、前記宛先ユーザの予定表に示された送信先に送信対象データを配信するかどうかを決定する決定手段と、
前記決定手段により、宛先ユーザの予定表に示された送信先に送信対象データを配信することが決定された場合には、その宛先に送信対象データを配信する配信手段と、
を備えたことを特徴とする画像処理装置。
【請求項２】
前記決定手段は、宛先ユーザの予定表から宛先ユーザの現在の予定及び直近の予定を分析し、宛先ユーザの直近の予定で必要となる文書内容の種類に適した送信先に配信することを決定する請求項１に記載の画像処理装置。
【請求項３】
前記予定表には、配信可能な送信先の範囲が規定され、
前記決定手段は、送信対象データの文書内容の種類に適した送信先が前記範囲内であればその送信先に配信することを決定し、範囲内でなければ配信しないことを決定する請求項１または２に記載の画像処理装置。
【請求項４】
表示対象のユーザの指定を受け付ける受付手段と、
外部に設けられ又は内蔵された予定表記憶手段に記憶されたユーザの予定表の中から、前記受付手段により指定が受け付けられた前記ユーザの予定表を閲覧する閲覧手段と、
表示手段と、
前記予定表に示された予定と前記表示対象のユーザが保持する文書とを比較して、前記表示対象のユーザが直近の予定で使用する可能性が高い文書を優先して前記表示手段に表示させる制御手段と、
送信元ユーザの指示に基づいて、宛先ユーザの送信先に、前記表示手段に表示された文書を配信する配信手段と、
を備えたことを特徴とする画像処理装置。
【請求項５】
送信元ユーザによってなされた送信対象データの宛先であるユーザの指定を受け付けるステップと、
外部に設けられ又は内蔵された予定表記憶手段に記憶されたユーザの予定表の中から、前記受付ステップにより指定が受け付けられた宛先ユーザの予定表を閲覧する閲覧手段と、
外部に設けられ又は内蔵された閲覧権限情報記憶手段に記憶された情報に基づいて、前記予定表記憶手段に記憶されている前記宛先ユーザの予定表に対する送信元ユーザの閲覧権限の有無を確認するステップと、
前記確認ステップにより、宛先ユーザの予定表に対する送信元ユーザの閲覧権限のあることが確認された場合に、前記送信対象データの文書内容の種類を検出するステップと、
検出ステップにより検出された送信対象データの文書内容の種類に応じて、前記宛先ユーザの予定表に示された送信先に送信対象データを配信するかどうかを決定するステップと、
前記決定ステップにより、宛先ユーザの予定表に示された送信先に送信対象データを配信することが決定された場合には、その宛先に送信対象データを配信するステップと、
を備えたことを特徴とする画像処理方法。
【請求項６】
前記決定するステップでは、宛先ユーザの予定表から宛先ユーザの現在の予定及び直近の予定を分析し、宛先ユーザの直近の予定で必要となる文書内容の種類に適した送信先に配信することを決定する請求項５に記載の画像処理方法。
【請求項７】
前記予定表には、配信可能な送信先の範囲が規定され、
前記決定するステップでは、送信対象データの文書内容の種類に適した送信先が前記範囲内であればその送信先に配信することを決定し、範囲内でなければ配信しないことを決定する請求項５または６に記載の画像処理方法。
【請求項８】
表示対象のユーザの指定を受け付けるステップと、
外部に設けられ又は内蔵された予定表記憶手段に記憶されたユーザの予定表の中から、前記指定が受け付けられた前記ユーザの予定表を閲覧するステップと、
前記予定表に示された予定と前記表示対象のユーザが保持する文書とを比較して、前記表示対象のユーザが直近の予定で使用する可能性が高い文書を優先して表示手段に表示させるステップと、
送信元ユーザの指示に基づいて、宛先ユーザの送信先に、前記表示手段に表示された文書を配信するステップと、
を備えたことを特徴とする画像処理方法。
【請求項９】
送信元ユーザによってなされた送信対象データの宛先であるユーザの指定を受け付けるステップと、
外部に設けられ又は内蔵された予定表記憶手段に記憶されたユーザの予定表の中から、前記受付ステップにより指定が受け付けられた宛先ユーザの予定表を閲覧する閲覧手段と、
外部に設けられ又は内蔵された閲覧権限情報記憶手段に記憶された情報に基づいて、前記予定表記憶手段に記憶されている前記宛先ユーザの予定表に対する送信元ユーザの閲覧権限の有無を確認するステップと、
前記確認ステップにより、宛先ユーザの予定表に対する送信元ユーザの閲覧権限のあることが確認された場合に、前記送信対象データの文書内容の種類を検出するステップと、
検出ステップにより検出された送信対象データの文書内容の種類に応じて、前記宛先ユーザの予定表に示された送信先に送信対象データを配信するかどうかを決定するステップと、
前記決定ステップにより、宛先ユーザの予定表に示された送信先に送信対象データを配信することが決定された場合には、その宛先に送信対象データを配信するステップと、
を画像処理装置のコンピュータに実行させるための画像処理プログラム。
【請求項１０】
前記決定するステップでは、宛先ユーザの予定表から宛先ユーザの現在の予定及び直近の予定を分析し、宛先ユーザの直近の予定で必要となる文書内容の種類に適した送信先に配信することを決定する処理を前記コンピュータに実行させる請求項９に記載の画像処理プログラム。
【請求項１１】
前記予定表には、配信可能な送信先の範囲が規定され、
前記決定するステップでは、送信対象データの文書内容の種類に適した送信先が前記範囲内であればその送信先に配信することを決定し、範囲内でなければ配信しないことを決定する処理を前記コンピュータに実行させる請求項９または１０に記載の画像処理プログラム。
【請求項１２】
表示対象のユーザの指定を受け付けるステップと、
外部に設けられ又は内蔵された予定表記憶手段に記憶されたユーザの予定表の中から、前記指定が受け付けられた前記ユーザの予定表を閲覧するステップと、
前記予定表に示された予定と前記表示対象のユーザが保持する文書とを比較して、前記表示対象のユーザが直近の予定で使用する可能性が高い文書を優先して表示手段に表示させるステップと、
送信元ユーザの指示に基づいて、宛先ユーザの送信先に、前記表示手段に表示された文書を配信するステップと、
を画像処理装置のコンピュータに実行させるための画像処理プログラム。
【発明の詳細な説明】
【技術分野】
【０００１】
この発明は、多機能デジタル複合機であるＭＦＰ（Multi Function Peripherals）等の画像処理装置、画像処理方法及び画像処理プログラムに関する。
【背景技術】
【０００２】
前記ＭＦＰ等の画像処理装置において、送信対象文書をスキャナ部により読みとって、送信先ユーザに電子メールにより配信したり送信先ユーザの記憶領域であるボックスに送信保存することが、従来より行われている。
【０００３】
しかしながら、例えば緊急性を要する文書を電子メールなどにより配信しても、相手がパソコンなどの端末装置を操作できない場所に移動しているような場合には、宛先ユーザに確実に届けることができないという問題がある。
【０００４】
そこで、宛先ユーザの予定表を予め記憶手段に記憶しておき、この予定表と連携して宛先ユーザの所在先に文書を配信する技術が提案されている（例えば特許文献１参照）。
【特許文献１】特開平１１−１８７１２６号公報
【発明の開示】
【発明が解決しようとする課題】
【０００５】
ところが、上記特許文献１に記載されている技術では、送信元ユーザが誰であろうと、その宛先ユーザに文書を送信する場合は、予定表に示された宛先に配信されてしまうため、予定表に示された宛先への送信が不要な文書、例えば緊急性を要しない文書までも予定表の宛先に送信されてしまい、却って利便性に欠けるという欠点があった。
【０００６】
この発明は、このような欠点を解消するためになされたものであって、予定表に示された宛先への送信が不要な文書がその宛先に配信されるのを防止して、利便性を向上した画像処理装置、画像処理方法及び画像処理プログラムを提供することを目的とする。
【課題を解決するための手段】
【０００７】
（１）送信元ユーザによってなされた送信対象データの宛先であるユーザの指定を受け付ける受付手段と、外部に設けられ又は内蔵された予定表記憶手段に記憶されたユーザの予定表の中から、前記受付手段により指定が受け付けられた宛先ユーザの予定表を閲覧する閲覧手段と、外部に設けられ又は内蔵された閲覧権限情報記憶手段に記憶されたユーザ情報に基づいて、前記予定表記憶手段に記憶されている前記宛先ユーザの予定表に対する送信元ユーザの閲覧権限の有無を確認する確認手段と、前記確認手段により、宛先ユーザの予定表に対する送信元ユーザの閲覧権限のあることが確認された場合に、前記送信対象データの文書内容の種類を検出する検出手段と、検出手段により検出された送信対象データの文書内容の種類に応じて、前記宛先ユーザの予定表に示された送信先に送信対象データを配信するかどうかを決定する決定手段と、前記決定手段により、宛先ユーザの予定表に示された送信先に送信対象データを配信することが決定された場合には、その宛先に送信対象データを配信する配信手段と、を備えたことを特徴とする画像処理装置。
（２）前記決定手段は、宛先ユーザの予定表から宛先ユーザの現在の予定及び直近の予定を分析し、宛先ユーザの直近の予定で必要となる文書内容の種類に適した送信先に配信することを決定する前項１に記載の画像処理装置。
（３）前記予定表には、配信可能な送信先の範囲が規定され、前記決定手段は、送信対象データの文書内容の種類に適した送信先が前記範囲内であればその送信先に配信することを決定し、範囲内でなければ配信しないことを決定する前項１または２に記載の画像処理装置。
（４）表示対象のユーザの指定を受け付ける受付手段と、外部に設けられ又は内蔵された予定表記憶手段に記憶されたユーザの予定表の中から、前記受付手段により指定が受け付けられた前記ユーザの予定表を閲覧する閲覧手段と、表示手段と、前記予定表に示された予定と前記表示対象のユーザが保持する文書とを比較して、前記表示対象のユーザが直近の予定で使用する可能性が高い文書を優先して前記表示手段に表示させる制御手段と、送信元ユーザの指示に基づいて、宛先ユーザの送信先に、前記表示手段に表示された文書を配信する配信手段と、を備えたことを特徴とする画像処理装置。
（５）送信元ユーザによってなされた送信対象データの宛先であるユーザの指定を受け付けるステップと、外部に設けられ又は内蔵された予定表記憶手段に記憶されたユーザの予定表の中から、前記受付ステップにより指定が受け付けられた宛先ユーザの予定表を閲覧する閲覧手段と、外部に設けられ又は内蔵された閲覧権限情報記憶手段に記憶された情報に基づいて、前記予定表記憶手段に記憶されている前記宛先ユーザの予定表に対する送信元ユーザの閲覧権限の有無を確認するステップと、前記確認ステップにより、宛先ユーザの予定表に対する送信元ユーザの閲覧権限のあることが確認された場合に、前記送信対象データの文書内容の種類を検出するステップと、検出ステップにより検出された送信対象データの文書内容の種類に応じて、前記宛先ユーザの予定表に示された送信先に送信対象データを配信するかどうかを決定するステップと、前記決定ステップにより、宛先ユーザの予定表に示された送信先に送信対象データを配信することが決定された場合には、その宛先に送信対象データを配信するステップと、を備えたことを特徴とする画像処理方法。
（６）前記決定するステップでは、宛先ユーザの予定表から宛先ユーザの現在の予定及び直近の予定を分析し、宛先ユーザの直近の予定で必要となる文書内容の種類に適した送信先に配信することを決定する前項５に記載の画像処理方法。
（７）前記予定表には、配信可能な送信先の範囲が規定され、前記決定するステップでは、送信対象データの文書内容の種類に適した送信先が前記範囲内であればその送信先に配信することを決定し、範囲内でなければ配信しないことを決定する前項５または６に記載の画像処理方法。
（８）表示対象のユーザの指定を受け付けるステップと、外部に設けられ又は内蔵された予定表記憶手段に記憶されたユーザの予定表の中から、前記指定が受け付けられた前記ユーザの予定表を閲覧するステップと、前記予定表に示された予定と前記表示対象のユーザが保持する文書とを比較して、前記表示対象のユーザが直近の予定で使用する可能性が高い文書を優先して表示手段に表示させるステップと、送信元ユーザの指示に基づいて、宛先ユーザの送信先に、前記表示手段に表示された文書を配信するステップと、を備えたことを特徴とする画像処理方法。
（９）送信元ユーザによってなされた送信対象データの宛先であるユーザの指定を受け付けるステップと、外部に設けられ又は内蔵された予定表記憶手段に記憶されたユーザの予定表の中から、前記受付ステップにより指定が受け付けられた宛先ユーザの予定表を閲覧する閲覧手段と、外部に設けられ又は内蔵された閲覧権限情報記憶手段に記憶された情報に基づいて、前記予定表記憶手段に記憶されている前記宛先ユーザの予定表に対する送信元ユーザの閲覧権限の有無を確認するステップと、前記確認ステップにより、宛先ユーザの予定表に対する送信元ユーザの閲覧権限のあることが確認された場合に、前記送信対象データの文書内容の種類を検出するステップと、検出ステップにより検出された送信対象データの文書内容の種類に応じて、前記宛先ユーザの予定表に示された送信先に送信対象データを配信するかどうかを決定するステップと、前記決定ステップにより、宛先ユーザの予定表に示された送信先に送信対象データを配信することが決定された場合には、その宛先に送信対象データを配信するステップと、を画像処理装置のコンピュータに実行させるための画像処理プログラム。
（１０）前記決定するステップでは、宛先ユーザの予定表から宛先ユーザの現在の予定及び直近の予定を分析し、宛先ユーザの直近の予定で必要となる文書内容の種類に適した送信先に配信することを決定する処理を前記コンピュータに実行させる前項９に記載の画像処理プログラム。
（１１）前記予定表には、配信可能な送信先の範囲が規定され、前記決定するステップでは、送信対象データの文書内容の種類に適した送信先が前記範囲内であればその送信先に配信することを決定し、範囲内でなければ配信しないことを決定する処理を前記コンピュータに実行させる前項９または１０に記載の画像処理プログラム。
（１２）表示対象のユーザの指定を受け付けるステップと、外部に設けられ又は内蔵された予定表記憶手段に記憶されたユーザの予定表の中から、前記指定が受け付けられた前記ユーザの予定表を閲覧するステップと、前記予定表に示された予定と前記表示対象のユーザが保持する文書とを比較して、前記表示対象のユーザが直近の予定で使用する可能性が高い文書を優先して表示手段に表示させるステップと、送信元ユーザの指示に基づいて、宛先ユーザの送信先に、前記表示手段に表示された文書を配信するステップと、を画像処理装置のコンピュータに実行させるための画像処理プログラム。
【発明の効果】
【００１０】
前項（１）に記載の発明によれば、送信元ユーザの宛先ユーザの予定表に対する閲覧権限の有無が予め確認され、閲覧権限がある場合には、送信対象データの文書内容の種類が検出され、検出された送信対象データの文書内容の種類に応じて、前記宛先ユーザの予定表に示された送信先に送信対象データを配信するかどうかが決定される。従って、送信元ユーザが閲覧権限のあるユーザであっても、送信対象データの文書内容の種類によっては、予定表の送信宛先に配信されないから、不要な文書等がユーザの出先等に送信されるのを防止できる。
【００１１】
前項（２）に記載の発明によれば、宛先ユーザの直近の予定で必要となる文書内容の種類に適した送信先に配信することができる。
【００１２】
前項（３）に記載の発明によれば、予定表に規定された配信可能な送信先の範囲に基づいて、送信対象データを送信先へ配信するかどうかが決定される。
【００１５】
前項（４）に記載の発明によれば、ユーザが、表示対象のユーザを指定すると、指定されたユーザの予定表が閲覧され、予定表に示された予定と表示対象のユーザが保持する文書とを比較して、前記表示対象のユーザが直近の予定で使用する可能性が高い文書が優先して表示手段に表示され、送信元ユーザの指示に基づいて、宛先ユーザの送信先に、表示手段に表示された文書が配信される。このため、宛先ユーザに文書を配信しようとするユーザは、緊急性の高い文書を容易に認識することができる。
【００１７】
前項（５）に記載の発明によれば、送信元ユーザの宛先ユーザの予定表に対する閲覧権限の有無が予め確認され、閲覧権限がある場合には、送信対象データの文書内容の種類が検出され、検出された送信対象データの文書内容の種類に応じて、前記宛先ユーザの予定表に示された送信先に送信対象データを配信するかどうかが決定されるから、送信元ユーザが閲覧権限のあるユーザであっても、送信対象データの文書内容の種類によっては、予定表の送信宛先に配信されないことになり、不要な文書等がユーザの出先等に送信されるのを防止できる。
【００１９】
前項（８）に記載の発明によれば、ユーザが、表示対象データを保持するユーザを指定すると、指定されたユーザの予定表が閲覧され、予定表に示された予定とデータ保持ユーザが保持する文書とを比較して、前記データ保持ユーザが直近の予定で使用する可能性が高い文書が優先して表示手段に表示され、送信元ユーザの指示に基づいて、宛先ユーザの送信先に、表示手段に表示された文書が配信されるから、宛先ユーザに文書を配信しようとするユーザは、緊急性の高い文書を容易に認識することができる。
【００２１】
前項（９）に記載の発明によれば、送信元ユーザの宛先ユーザの予定表に対する閲覧権限の有無を予め確認し、閲覧権限がある場合には、送信対象データの文書内容の種類を検出し、検出された送信対象データの文書内容の種類に応じて、前記宛先ユーザの予定表に示された送信先に送信対象データを配信するかどうかを決定する処理を、画像処理装置のコンピュータに実行させることができる。
【００２３】
前項（１２）に記載の発明によれば、ユーザが表示対象のユーザを指定すると、指定されたユーザの予定表を閲覧し、予定表に示された予定と表示対象のユーザが保持する文書とを比較して、表示対象のユーザが直近の予定で使用する可能性が高い文書を優先して表示手段に表示し、送信元ユーザの指示に基づいて、宛先ユーザの送信先に、表示手段に表示された文書を配信する処理を、画像処理装置のコンピュータに実行させることができる。
【発明を実施するための最良の形態】
【００２４】
次に、この発明の一実施形態を図面に基づいて説明する。
【００２５】
図１は、この発明の一実施形態に係る画像処理装置が用いられた画像処理システムの構成を示したブロック図である。
【００２６】
図１の画像処理システムは、コピー・プリント・スキャン・ファクシミリ等の機能を有するＭＦＰからなる画像処理装置としての画像形成装置１と、サーバ装置２がネットワーク３を介して相互に接続されている。
【００２７】
画像形成装置１は、スキャナ部１０１、プリンタ部１０２、操作パネル部１０３、記憶部１０４、ネットワーク通信部１０５、演算処理部１０６等を備えている。
【００２８】
前記スキャナ部１０１は、文書原稿を所定の解像度で読み取り、所定の画像処理を施して電子データに変換するものであり、光源とプリズム、ＣＣＤなどで実現されるものである。
【００２９】
プリンタ部１０２は、印刷ジョブ等の電子データを実際に紙面に出力する機能を持つ部分であり、例えば電子写真の機構やインクジェット・熱転写の機構によって構成されている。
【００３０】
操作パネル部１０３は、ユーザが指示を入力する機構を有するとともに、ユーザヘのメッセージを表示する部分であり、液晶タッチパネルなどで実現されるものである。
【００３１】
記憶部１０４は、画像形成装置１００における各種のデータやソフトウェア等を記憶するものであり、ハードディスク（ＨＤＤ）や不揮発性のメモリ等により構成されている。
【００３２】
ネットワーク通信部１０５は、ローカルエリアネットワーク（ＬＡＮ）などのネットワークに接続され、同じくネットワーク上に接続された他の装置との間での通信機能を実現するためのものてあり、ネットワーク・インターフェース・カード（ＮＩＣ）などによって構成されている。
【００３３】
演算処理部１０６は、画像形成装置１００の全体の制御処理を実行するものであり、マイクロプロセッサ（ＣＰＵ）、ランダム・アクセス・メモリ（ＲＡＭ）などの組み合わせによって構成されている。
【００３４】
前記サーバ端末２００は、パーソナルコンピュータからなり、図２（ａ）に示すように、各ユーザの予定表や、図２（ｂ）に示すように識別情報（ＩＤ）、パスワード等のユーザ情報や、各ユーザの他のユーザに対する前記予定表の閲覧権限についての情報等を保存する予定表データベース（ＤＢ）を備えており、これらの予定表や閲覧権限の管理処理、ユーザ情報に基づく認証処理等を行うものである。
【００３５】
前記ネットワーク３００は、企業などで構築されたネットワークを指し、１０／１００Ｂａｓｅ−Ｔや１０００Ｂａｓｅ−Ｔ等のインターフェースを用いて実現されている。
【００３６】
画像形成装置１００とサーバ端末２００は何れもネットワーク３００に接続されており、画像形成装置１００からサーバ端末２００へアクセスを行って、文書等の送信対象データの送信先である宛先ユーザの予定表に対する送信元ユーザの閲覧権限を参照したり、予定表の閲覧等が行われるものとなされている。
【００３７】
図３は、図１に示した画像形成装置１００とサーバ端末２００との間で行われる通信のやり取りを示したシーケンス図である。
【００３８】
送信元ユーザ（画像形成装置１００の使用者）が、画像形成装置１００を操作して宛先ユーザを指定すると（ステップＳ４０１）、画像形成装置１００は、閲覧権限及び予定表を管理するサーバ端末２００へ、送信元ユーザによる宛先ユーザの予定表に対する閲覧権限の有無を問い合わせ、閲覧権限があれば、宛先ユーザの予定を問い合わせて結果を参照し（ステップＳ４０２）、予定表に具体的な宛先が含まれている場合は、画像形成装置１００は予定表に含まれる宛先を操作パネル部１０３に表示する（ステップＳ４０３）。送信元ユーザが宛先を選択して送信を指示すると（ステップと４０４）、画像形成装置１００は指定された宛先に文書を送信する。
【００３９】
図４は、送信元ユーザが画像形成装置１００を使用するときに操作パネル部１０３に表示されるログイン画面を示すものである。
【００４０】
この操作パネル部１０３では、機能操作部１０３ａにユーザ認証情報の人力画面が表示されている。送信元ユーザは、機能操作部１０３ａに表示されたキーボードボタンと、共通ボタン部１０３ｂを使用して、アカウント（Ａｃｃｏｕｎｔ：）入力欄にアカウント名、パスワード（Ｐａｓｓｗｏｒｄ：）入力欄にパスワードをそれぞれ入力し、最後にログインボタンを押すことでユーザ認証情報を入力する。入力を受け付けた画像形成装置１００は、入力された情報をサーバ端末２００に送信する。サーバ端末２００は、保有しているユーザ情報と入力されたアカウントを比較して、送信元ユーザを特定し、パスワードによりユーザを認証する。そして、認証結果を画像形成装置１００に送信する。
【００４１】
図５は、送信元ユーザの認証に成功した時に操作パネル部１０３に表示された画面を示すものである。この画面には、機能操作部１０３ａの他、使用者名表示部１０３ｃ、機能選択表示部１０３ｄが表示されており、機能操作部１０３ａには認証したユーザのアカウント名が表示されている。また、機能選択表示部１０３ｄには機能の大分類（「ＦＡＸ」「ＳＣＡＮ」「ＣＯＰＹ」）がボタンで表示されている。図５では、機能の大分類として「ＳＣＡＮ」が選択されていることが、斜線により示されている。
【００４２】
また、「ＳＣＡＮ」が選択されていることに伴い、機能操作部１０３ａには、スキャナ部１０１で読みとった原稿の画像データを送信すべき宛先ユーザを指定するために、宛先ユーザの所属部署の選択肢が表示されている。
【００４３】
図６と図７は、画像形成装置１００の操作パネル部１０３から機能操作部１０３ａを抽出して表示した画面図である。
【００４４】
図６には、図５の画面から宛先ユーザが特定され、かつサーバ端末２００により宛先ユーザの予定表に対する送信元ユーザの閲覧権限があると判断され、その宛先ユーザの予定表が閲覧された場合の画面が表示されている。この画面では、左端部の表示欄１１０に宛先ユーザが表示され、上端部に「送信方法を選んでください。」のメッセージ１１１が表示されており、メッセージの下方には、複数の送信方法の選択肢１１２〜１１５が表示されている。
【００４５】
送信方法の第１の選択肢１１２は「ＢＯＸ」という宛先ユーザ向けの文書保存用の記憶領域に、スキャンした文言を保存する方法である。具体的には画像形成装置１００の記憶部１０４上に割り当てられた領域を指すが、例えばネットワーク３００に接続されたパソコン端末等の外部装置上の共有フォルダが割り当てられる構成でも良い。
【００４６】
第２の選択肢１１３は宛先ユーザの電子メールアドレスヘスキャン文書をメール送信する方法である。第３と第４の選択肢１１４、１１５は、宛先ユーザの予定表に基づきそのユーザの所在先へ配信する方法である。具体的には、第３の選択肢１１４は、宛先ユーザの予定表による直近の所在に従って、文書を例えばテレビ会議室へＦＡＸ送信する方法を示す。第４の選択肢１１５も同様で、文書を例えば第1会議室へFAX送信する方法である。
【００４７】
送信元ユーザはこのように、これからスキャンする文書を宛先ユーザの直近の予定に合わせて、所在先に直接FAX等により配信する方法を選択することができるようになる。
【００４８】
一方、図７は、送信元ユーザが宛先ユーザの予定表に対する閲覧権限を持たないとサーバ端末２００により判断された場合の画面を示すものである。
【００４９】
第１の選択肢１１２と第２の選択肢１１３は、図６のものと同様で従来の方法で文書を配信する方法である。
【００５０】
第３の選択肢１１６は、宛先ユーザの予定表を閲覧する権限を持つユーザをボタンで表示して、これからスキャンする文書の配信を、前記権限を有するユーザに依頼する方法である。送信元ユーザがこの選択肢１１６を選んだ場合、画像形成装置１００は選ばれた第３者のユーザに電子メールなどを自動で送信して依頼内容を通知し、その返信を使って承認を得ることで宛先ユーザの所在先へ、文書データをＦＡＸ送信することができる。また、前記通知された第３者あるいは第３者から通知を受けた管理者が、サーバ端末２００に記憶されている送信元ユーザの前記宛先ユーザの予定表に対する閲覧権限を、一時的に「有り」に変更しても良い。
【００５１】
このように、送信元ユーザが宛先ユーザの予定表の閲覧権限を持たない場合は、所在先への文書配信を行うことができない。従って、宛先ユーザの所在先に無闇に不要な文書が届くのを防ぐことができる。そしてそのような問覧権限を持たない場合でも、送信元ユーザは宛先ユーザの予定表を閲覧することができる他のユーザへ依頼することで、宛先ユーザの所在先へ配信する方法を選択することができる。
【００５２】
図８は、図１のシステムにおける画像形成装置１００及びサーバ端末２００の動作を示すフローチャートである。画像形成装置１００の動作は、演算処理部１０６の図示しないＣＰＵが同じく図示しないＲＯＭ等の記録媒体に記憶された動作プログラムを処理することにより実行される。
【００５３】
画像形成装置１００は、ユーザの認証に成功すると、操作パネル部１０３に、図５に示したような宛先ユーザや宛先ユーザの所属部署の選択画面を表示する（ステップＳ１２０１）。操作パネル部１０３からの選択入力を受け付けると（ステップＳ１２０２）、宛先ユーザが確定したかどうかを判断し、確定しなければ（ステップＳ１２０２でＮＯ）、確定するまで表示の切替を繰り返して宛先ユーザを確定する。
【００５４】
宛先ユーザが確定すると（ステップＳ１２０３でＹＥＳ）、サーバ端末２００に宛先ユーザの当日の予定を問い合わせる（ステップＳ１２０４）とともに、宛先ユーザの予定の閲覧権限も問い合わせる（ステップＳ１２０５）。そして画像形成装置１００は問い合わせの結果、閲覧権限の有無を確認し、宛先ユーザの予定と閲覧権限に従って、図６や図７ような予定表による送信宛先（配信先）の選択画面を表示する（ステップＳ１２０６）。
【００５５】
次いで、操作パネル部１０３からの送信指示があったかどうかを判断し（ステップＳ１２０７）、あった場合は（ステップＳ１２０７でＹＥＳ）、指示のあった宛先に指定された方法で文書を配信する（ステップＳ１２０８）。送信指示がなければ（ステップＳ１２０７でＮＯ）、処理を終了する。
【００５６】
一方、サーバ端末２００は、画像形成装置１００からの問い合わせを待っており（ステップＳ１２１１）、問い合わせがあった場合は（ステップＳ１２１２でＹＥＳ）、予定表データベースを操作して応答を行い（ステップＳ１２１３）、ステップＳ１２１１に戻る。ステップＳ１２１２で。問い合わせがなかった場合（ステップＳ１２１２でＮＯ）、ステップＳ１２１４で、終了信号があるかどうかを調べ、終了信号がなければ（ステップＳ１２１４でＮＯ）、ステップＳ１２１１に戻る。終了信号があれば（ステップＳ１２１４でＹＥＳ）、処理を終了する。
【００５７】
このように、宛先ユーザ毎に予定表とそのユーザの予定表に対する送信元ユーザの閲覧権限を確認する構成であるので、無駄な文書の送信を防止することができ、宛先ユーザにとって利便性の高い文書配信機能が提供される。
【００５８】
次に、この発明の第２の実施形態を示す。この実施形態では、宛先ユーザの予定表に対する送信元ユーザの閲覧権限のあることが確認された場合に、送信対象データの種類を検出し、検出された送信対象データの種類に応じて、宛先ユーザの予定表に示された送信先に送信対象データを配信するかどうかを決定し、配信することが決定された場合には、その宛先に送信対象データを配信するものである。
【００５９】
図９は、上記実施形態を実現するために、送信対象データの種類に応じて、送信宛先を切り替えるための情報を管理する判別テーブルである。この判別テーブルも、サーバ端末２００に記憶されている。送信対象データの種類は、画像形成装置１００が、スキャンした文書のOCR（文字認識処理）による解析等を行うことで、自動的に識別する。
【００６０】
図９において、「送信先１」「送信先２」は文書の種類毎の送信宛先の候補を示し、「送信先１」「送信先２」が両方存在する場合はいずれの宛先へも送信する。例えば「会議資料」を宛先ユーザの所在先に配信する場合は、急ぎである可能性も高く、予定表に基づく所在先へFAX送信することが望まれるケースも多いが、「週報」のような比較的緊急性の低い部類の文書を配信する場合は、コストがかかる所在先へのFAX送信を行わない方が良い。また、同じ理由から100頁以上もある文書をユーザの所在先へFAX配信することも如ましくない。このように、文書（送信対象データ）の種類による送信宛先の最適化を行うことで、送信元ユーザと宛先ユーザの双方に使い勝手の良い装置が提供される。
【００６１】
上記第２実施形態を実施するときの画像形成装置１００の動作を、図１０のフローチャートに従って説明する。この動作は、演算処理部１０６のＣＰＵが図示しないＲＯＭ等の記録媒体に記憶された動作プログラムを処理することにより実行される。
【００６２】
画像形成装置１００は、ユーザの認証に成功すると、操作パネル部１０３に、図５に示したような宛先ユーザや宛先ユーザの所属部署の選択画面を表示する（ステップＳ１３０１）。操作パネル部１０３からの選択入力を受け付けると（ステップＳ１３０２）、宛先ユーザが確定したかどうかを判断し（ステップＳ１３０２）、確定しなければ（ステップＳ１３０２でＮＯ）、確定するまで表示の切替を繰り返して宛先ユーザを確定する。
【００６３】
宛先ユーザが確定すると（ステップＳ１３０３でＹＥＳ）、サーバ端末２００に宛先ユーザの当日の予定を問い合わせる（ステップＳ１３０４）とともに、宛先ユーザの予定の閲覧権限も問い合わせる（ステップＳ１３０５）。そして画像形成装置１００は問い合わせの結果、閲覧権限の有無を確認し、宛先ユーザの予定と閲覧権限に従って、図６のような予定表による配信先の選択画面やや図７の画面を表示するが、ここでは閲覧権限があるものとして、図６の配信先選択画面を表示して待機する（ステップＳ１３０６）。
【００６４】
次いで、操作パネル部１０３からの送信指示があったかどうかを判断し（ステップＳ１３０７）、なければ（ステップＳ１３０７でＮＯ）、ステップＳ１３０６に戻り、送信指示があった場合は（ステップＳ１３０７でＹＥＳ）、ステップＳ１３０８に進む。
【００６５】
ステップＳ１３０８では、スキャナ部１０１により文書原稿の読み取りを実行し、ＯＣＲで解析して文書の種類を検出する。
【００６６】
次いで、図９のテーブルを使用して、文書の種類から宛先の候補を選出したのち（ステップＳ１３０９）、候補が存在するかどうかを判断する（ステップＳ１３１０）。候補が存在する場合は（ステップＳ１３１０でＹＥＳ）、それらの候補に示される宛先に文書を配信する。候補が存在しなければ（ステップＳ１３１０でＮＯ）、図６の配信先選択画面を表示し（ステップＳ１３１２）、宛先の選択指示がなされたかどうかを判断する（ステップＳ１３１３）。選択指示があれば（ステップＳ１３１３でＹＥＳ）、指示のあった宛先に指定された方法で文書を配信する（ステップＳ１３１４）。選択指示がなければ（ステップＳ１３１３でＮＯ）、処理を終了する。
【００６７】
次に、この発明の第３の実施形態を、図１１〜図１３に基づいて説明する。図９及び図１０に示した第２の実施形態では、送信対象データの種類に応じて、送信宛先を切り替える場合を示した、この第３の実施形態では、宛先ユーザの現在の予定及び直近の予定と送信文書の種類により、最適な送信宛先を自動的に決定するものである。
【００６８】
図１１は、宛先ユーザの予定表４００があるときに、２つの文書［ｃａｓｅ１］と［ｃａｓｅ２］を配信する場合の例を示すものである。［ｃａｓｅ１］では仕様書を配信するものであり、宛先ユーザの直近の予定が「１０：００〜１２：００［外出］A株式会社：仕様打合せ」であることを検索して、送信宛先として「A株式会社へのFAX送信」を自動的に選択する。
【００６９】
［ｃａｓｅ２］は計画書を配信するものであり、宛先ユーザの予定に「１３：００〜１７：００  テレビ会議室：製品デザインレビュー（ＤＲ）」があることを検索して、送信宛先として「E−ｍａｉｌ」「ＴＶ会議室へのFAX送信」を自動的に選択する。
【００７０】
このように、ほぼ同一時刻に行われる文書配信であっても、文書の種類と宛先ユーザの予定に基づいて、配信先を自動的に決定することで、宛先ユーザにとって都合の良い場所に文書を配信することができる。
【００７１】
図１２は、図１１に示した、宛先ユーザの現在及び直近の予定と文書の種類に基づく送信宛先の自動判別を実現するための情報を管理する判別テーブルてある。同テーブルにおいて、「種類」とは、これから配信する文書の分類を示す。「予定１」「予定２」は宛先ユーザの予定の内容を示す。また「範囲」とは「部内」「社内」「−（Ｇｌｏｂａｌ）」の３種類の値を持ち、文書を配信しても良い範囲を示す。例えば「計画書」を宛先ユーザの予定に基づいて配信する場合は、宛先ユーザの予定表から「DR」の予定があるかどうかを検索し、DRが開催される場所を特定して文書を配信する。ただし配信場所が「社内」「部内」等に限定されているにもかかわらず、宛先ユーザの所在先が社外や部外等である場合は、そのような配信を行わないことで、機密文書が不用意に社外や部外に配信されるのを防ぐ。このように、文書の種類による送信宛先の最適化を自動的に行うことで、宛先ユーザにとって都合の良い形で文書を配信することができる。
【００７２】
上記第３実施形態を実施するときの画像形成装置１００の動作を、図１３のフローチャートに従って説明する。この動作は、演算処理部１０６のＣＰＵが図示しないＲＯＭ等の記録媒体に記憶された動作プログラムを処理することにより実行される。
【００７３】
画像形成装置１００は、ユーザの認証に成功すると、操作パネル部１０３に、図５に示したような宛先ユーザや宛先ユーザの所属部署の選択画面を表示する（ステップＳ１４０１）。操作パネル部１０３からの選択入力を受け付けると（ステップＳ１４０２）、宛先ユーザが確定したかどうかを判断し（ステップＳ１４０３）、確定しなければ（ステップＳ１４０３でＮＯ）、確定するまで表示の切替を繰り返して宛先ユーザを確定する。
【００７４】
宛先ユーザが確定すると（ステップＳ１４０３でＹＥＳ）、サーバ端末２００に宛先ユーザの当日の予定を問い合わせる（ステップＳ１４０４）とともに、宛先ユーザの予定表に対する送信元ユーザの閲覧権限も問い合わせる（ステップＳ１４０５）。そして画像形成装置１００は問い合わせの結果、閲覧権限の有無を確認し、宛先ユーザの予定と送信元ユーザの閲覧権限に従って、図６のような予定表による配信先の選択画面や図７の画面を表示するが、ここでは閲覧権限があるものとして、図６の配信先選択画面を表示して待機する（ステップＳ１４０６）。
【００７５】
次いで、操作パネル部１０３からの送信指示があったかどうかを判断し（ステップＳ１４０７）、なければ（ステップＳ１４０７でＮＯ）、ステップＳ１４０６に戻り、送信指示があった場合は（ステップＳ１４０７でＹＥＳ）、ステップＳ１４０８に進む。
【００７６】
ステップＳ１４０８では、スキャナ部１０１により文書原稿の読み取りを実行し、ＯＣＲで解析して文書の種類を検出する。
【００７７】
次いで、図１２の判別テーブルを使用して、文書の種類から対応する「予定」を選出したのち（ステップＳ１４０９）、宛先ユーザの予定表の予定の内容と比較して、合致する宛先候補を選出し（ステップＳ１４１０）、候補が存在するかどうかを判断する（ステップＳ１４１１）。候補が存在する場合は（ステップＳ１４１１でＹＥＳ）、それらの候補に示される宛先に文書を配信する。候補が存在しなければ（ステップＳ１４１１でＮＯ）、図６の配信先選択画面を表示し（ステップＳ１４１３）、宛先の選択指示がなされたかどうかを判断する（ステップＳ１４１４）。選択指示があれば（ステップＳ１４１４でＹＥＳ）、指示のあった宛先に指定された方法で文書を配信する（ステップＳ１４１５）。選択指示がなければ（ステップＳ１４１４でＮＯ）、処理を終了する。
【００７８】
次に、この発明の第４の実施形態を示す。この実施形態では、宛先ユーザの予定表に対する送信元ユーザの閲覧権限のあることが確認された場合に、宛先ユーザが所有する端末装置の共有フォルダを操作パネル部１０３に表示し、閲覧権限のないことが確認された場合には、前記共有フォルダを操作パネル部１０３に表示しないように制御するものである。
【００７９】
図１４は、宛先ユーザの予定表に対する送信元ユーザの閲覧権限のあることが確認された場合の操作パネル部１０３の機能操作部１０３ａの表示画面を示すものである。
【００８０】
図１４に示されたフォルダのうち「ＢＯＸ」と記載があるのは、画像形成装置１００の記憶部１０４上において、宛先ユーザ用に割り当てられた保存領域を指す。そして、「共有フォルダ」とは、ネットワークに接続されたユーザのパソコン端末上のネットワーク共有フォルダを指す。
【００８１】
図１４の例では、左端部の表示欄１１０には、第３グループ（３Ｇｒ）所属のユーザについてのＢＯＸ等が表示されていることを示している。右側のメッセージ欄１１１の下方の表示欄１１７には、第３グループ（３Ｇｒ）所属のユーザである「的場」「坪井」「岡本」の３人それぞれの保存先（ＢＯＸ、フォルダ）が表示されている。また、画像形成装置１００は予定表によって各ユーザの所在先を割り出し、「的場」が部署（自席）には不在であることを事前に確認した場合に、その共有フォルダをグレイアウト表示して選択できないようになっている。なお、グレイアウト表示でなく、表示そのものをしない構成としても良い。このように、予定表によるユーザの所在先を確認し、効率の悪い配信先を選択できないようにすることで、効率的な文書配信を実現する。
【００８２】
なお、送信元ユーザに宛先ユーザの予定表に対する閲覧権限がない場合は、共有フォルダそのものが表示されない。従って、閲覧権限のないユーザは、宛先ユーザが所有する端末装置の共有フォルダに、文書等を配信することはできないから、緊急性のない不要な文書等が、宛先ユーザの端末装置の共有フォルダに配信される不都合を解消でき、利便性を高めることができる。
【００８３】
上記第４実施形態を実施するときの画像形成装置１００の動作を、図１５のフローチャートに従って説明する。この動作は、演算処理部１０６のＣＰＵが図示しないＲＯＭ等の記録媒体に記憶された動作プログラムを処理することにより実行される。
【００８４】
画像形成装置１００は、ユーザの認証に成功すると、操作パネル部１０３に、図５に示したような宛先ユーザや宛先ユーザの所属部署の選択画面を表示する（ステップＳ１５０１）。操作パネル部１０３からの選択入力を受け付けると（ステップＳ１５０２）、宛先ユーザが確定したかどうかを判断し（ステップＳ１５０３）、確定しなければ（ステップＳ１５０３でＮＯ）、確定するまで表示の切替を繰り返して宛先ユーザを確定する。
【００８５】
宛先ユーザが確定すると（ステップＳ１５０３でＹＥＳ）、サーバ端末２００に宛先ユーザの当日の予定を問い合わせる（ステップＳ１５０４）とともに、宛先ユーザの予定表に対する送信元ユーザの閲覧権限も問い合わせる（ステップＳ１５０５）。そして画像形成装置１００は問い合わせの結果、閲覧権限の有無を確認し（ステップＳ１５０６）、宛先ユーザの予定表に対する送信元ユーザの閲覧権限がある場合は（ステップＳ１５０６でＹＥＳ）、ステップＳ１５０７に進む。閲覧権限がない場合は（ステップＳ１５０６でＮＯ）、処理を終了する。
【００８６】
ステップＳ１５０７では、現在宛先ユーザが自席にいるかどうかを予定表により判定し、自席にいる場合は（ステップＳ１５０８でＹＥＳ）、宛先ユーザの端末共有フォルダを操作パネル部１０３に表示したのち（ステップＳ１５０９）、ステップＳ１５１０に進む。自席にいない場合には（ステップＳ１５０８でＮＯ）、宛先ユーザの端末共有フォルダを表示にするかグレーアウトで操作パネル部１０３に表示したのち（ステップＳ１５１１）、ステップＳ１５１０に進む。
【００８７】
ステップＳ１５１０では、送信元ユーザの指示に基づいて、選択された共有フォルダへ文書を配信する。
【００８８】
次に、この発明の第５実施形態を説明する。この実施形態は、ユーザが、表示させたいデータを保持するユーザ（表示対象ユーザ）を指定すると、サーバ端末２００に記憶されたユーザの予定表の中から、前記指定されたユーザの予定表を閲覧し、予定表に示された予定と前記表示対象ユーザが保持する文書とを比較して、前記表示対象ユーザが直近の予定で使用する可能性が高い文書を優先して操作パネル部１０３に表示させるものである。
【００８９】
図１６は、データ保持ユーザが直近の予定で使用する可能性が高い文書が優先して表示された操作パネル部１０３の表示画面を示すものである。
【００９０】
図１６の左端部の表示欄１１０には、BOXという概念でユーザごとに確保された記憶領域のうち、表示対象のユーザ「岡本」のＢＯＸを選択していることが示されている。図１６のメッセージ表示欄１１１の下方のファイル表示欄１１８には、ユーザ「岡本」のＢＯＸに入っている文書ファイルのファイル名・ファイルサイズ・作成日が表示されている。図１６では、画像形成装置１００が、ユーザ「岡本」の予定表を確認して直近の予定に必要と思われる文書を検索し、予定に適合した「カタログ、ＰＤＦ」「仕様書．ＤＯＣ」の２つの文書を優先的に表示している。このように、宛先表によるユーザの予定を確認することで、使い手にとって効率の良い文書選択方法が提供される。
【００９１】
図１７は、上記第５実施形態を実施する際の画像形成装置１００の動作を示すフローチャートである。この動作は、演算処理部１０６のＣＰＵが図示しないＲＯＭ等の記録媒体に記憶された動作プログラムを処理することにより実行される。
【００９２】
画像形成装置１００は、表示対象ユーザが保持する文書のリストを、例えば記憶部１０４の対応ユーザのＢＯＸ等から取得した後（ステップＳ１６０１）、サーバ端末２００に前記ユーザの直近のあるいはその日の予定を問い合わせる（ステップＳ１６０２）。
【００９３】
次に、ステップＳ１６０３では、予定表の予定と文書のリストを比較し、予定に合致する文書があるかどうかを判断する。
【００９４】
合致する文書があれば（ステップＳ１６０４でＹＥＳ）、その合致する文書（直近の文書）を操作パネル部１０３に優先的に表示したのち（ステップＳ１６０５）、ステップＳ１６０７に進む。合致する文書がなければ（ステップＳ１６０４でＮＯ）、通常の順序で文書リストを表示したのち（ステップＳ１６０６）、ステップＳ１６０７に進む。
【００９５】
ステップＳ１６０７では、操作ユーザの操作に従い、表示された文書リストの中から選択された文書を印刷して、処理を終了する。
【００９６】
このように、この実施形態では、ユーザが表示対象のユーザを指定すると、指定されたユーザの予定表が閲覧され、予定表に示された予定と表示対象のユーザが保持する文書とを比較して、前記表示対象のユーザが直近の予定で使用する可能性が高い文書が優先して表示手段に表示される。このため、宛先ユーザに文書等を配信したり印刷しようとするユーザは、緊急性の高い文書等を容易に認識することができる。
【００９７】
以上、本発明の一実施形態を説明したが、本発明は上記実施形態に限定されることはない。例えば、ユーザの予定表、閲覧権限の有無、認証のためのユーザ情報等をサーバ端末２００に記憶しておくものとしたが、それらの一部または全部を画像形成装置１００の記憶部１０４に記憶する構成としても良い。
【図面の簡単な説明】
【００９８】
【図１】この発明の一実施形態に係る画像処理装置が用いられた画像処理システムの構成を示したブロック図である。
【図２】サーバ端末に記憶されているユーザの予定表、ユーザ情報及び閲覧権限の有無情報の一例を示す図である。
【図３】図１に示した画像形成装置１００とサーバ端末２００との間で行われる通信のやり取りを示したシーケンス図である。
【図４】送信元ユーザが画像形成装置を使用するときに操作パネル部に表示されるログイン画面を示す図である。
【図５】送信元ユーザの認証に成功した時に操作パネル部に表示された画面を示す図である。
【図６】宛先ユーザの予定表が閲覧された場合の操作パネルに表示された画面を示す図である。
【図７】送信元ユーザが宛先ユーザの予定表に対する閲覧権限を持たないと判断された場合の操作パネルの画面を示す図である。
【図８】図１のシステムにおける画像形成装置及びサーバ端末の動作を記すフローチャートである。
【図９】この発明の第２実施形態において用いられる、送信対象データの種類に応じて送信宛先を切り替えるための情報を管理する判別テーブルの図であるか。
【図１０】この発明の第２実施形態を実施するときの画像形成装置の動作を示すフローチャートである。
【図１１】この発明の第３実施形態に係るもので、宛先ユーザの予定表に対して、２つの文書を配信する場合の例を示すものである。
【図１２】図１１に示した、宛先ユーザの直近の予定と文書の種類に基づく送信宛先の自動判別を実現するための情報を管理する判別テーブルてある。
【図１３】この発明の第３実施形態を実施するときの画像形成装置の動作を示すフローチャートである。
【図１４】この発明の第４実施形態に係るもので、宛先ユーザの予定表に対する送信元ユーザの閲覧権限のあることが確認された場合の操作パネル部の表示画面を示す図である。
【図１５】この発明の第４実施形態を実施するときの画像形成装置の動作を示すフローチャートである。
【図１６】この発明の第５実施形態に係るもので、データ保持ユーザが直近の予定で使用する可能性が高い文書が優先して表示された操作パネル部の表示画面を示す図である。
【図１７】この発明の第５実施形態を実施するときの画像形成装置の動作を示すフローチャートである。
【符号の説明】
【００９９】
１００    画像形成装置
１０１    スキャナ部
１０２    プリンタ部
１０３    操作パネル部
１０４    記憶部
１０５    ネットワーク通信部
１０６    演算処理部
２００    サーバ端末
３００    ネットワーク
【図１】
0005040542.tif 000002
【図２】
0005040542.tif 000003
【図３】
0005040542.tif 000004
【図４】
0005040542.tif 000005
【図５】
0005040542.tif 000006
【図６】
0005040542.tif 000007
【図７】
0005040542.tif 000008
【図８】
0005040542.tif 000009
【図９】
0005040542.tif 000010
【図１０】
0005040542.tif 000011
【図１１】
0005040542.tif 000012
【図１２】
0005040542.tif 000013
【図１３】
0005040542.tif 000014
【図１４】
0005040542.tif 000015
【図１５】
0005040542.tif 000016
【図１６】
0005040542.tif 000017
【図１７】
0005040542.tif 000018